(57)【要約】      （修正有）【課題】複数の対物レンズのコマ収差を適切に補正しつつ、簡素な調整／製造工程で光ピックアップ装置を製造できるようにする。【解決手段】第１対物レンズ１８及び第２対物レンズ３８が設けられるレンズホルダ６０と、レンズホルダ６０が設けられるアクチュエータユニット７０とハウジング５０とを有する光ピックアップ装置において、各対物レンズ１８，３８を夫々コマ収差の波面の位相が最も進んでいる方向を情報記録媒体５の径方向に向けるようにし、第１対物レンズ１８はその光軸を第１鏡筒６１の光軸に一致させてレンズホルダ６０に設け、第２対物レンズ３８は第２鏡筒６２の光軸に対し第１傾斜角−第２傾斜角に相当する角度だけ径方向に傾斜させてレンズホルダ６０に設け、アクチュエータユニット７０を、第１対物レンズ１８の光軸が第１傾斜角だけ径方向に傾斜するようにハウジング５０に設けるようにする。【選択図】図７Ｂ
2011044192.tif 000002
【特許請求の範囲】
【請求項１】
回転する情報記録媒体に光束を照射し、前記情報記録媒体から反射される光束を検出する光ピックアップ装置であって、
前記情報記録媒体に光束を集光させる第１対物レンズと、
前記情報記録媒体に光束を集光させる第２対物レンズと、
その端面に前記第１対物レンズが設けられる第１鏡筒、及びその端面に前記第２対物レンズが設けられる第２鏡筒を有するレンズホルダと、
前記レンズホルダが設けられるアクチュエータユニットと、
前記アクチュエータユニットが設けられるハウジングと
を有し、
前記第１対物レンズ及び前記第２対物レンズは、夫々のレンズ面のコマ収差の波面の位相が最も進んでいる方向を前記情報記録媒体の径方向に向けて前記レンズホルダに設けられ、
前記第１対物レンズは、その前記情報記録媒体の記録面に向かう光軸を前記第１鏡筒の光軸に一致させた状態で前記レンズホルダに設けられ、
前記第１対物レンズの前記記録面に対するコマ収差をキャンセルするのに必要な当該第１対物レンズの前記光軸の傾斜角を第１傾斜角とし、前記第２対物レンズの前記記録面に対するコマ収差をキャンセルするのに必要な当該第２対物レンズの前記記録面に向かう光軸の傾斜角を第２傾斜角として（第１傾斜角＞第２傾斜角）、前記第２対物レンズは、その前記光軸が前記第２鏡筒の光軸に対して、前記第１傾斜角と前記第２傾斜角との差（第１傾斜角−第２傾斜角）に相当する角度だけ前記径方向に傾斜させて前記レンズホルダに設けられ、
前記アクチュエータユニットは、前記第１対物レンズの前記光軸が前記第１傾斜角だけ前記径方向に傾斜するように前記ハウジングに設けられている
ことを特徴とする光ピックアップ装置。
【請求項２】
回転する情報記録媒体に光束を照射し、前記情報記録媒体から反射される光束を検出する光ピックアップ装置であって、
前記情報記録媒体に光束を集光させる第１対物レンズと、
前記情報記録媒体に光束を集光させる第２対物レンズと、
その端面に前記第１対物レンズが設けられる第１鏡筒、及びその端面に前記第２対物レンズが設けられる第２鏡筒を有するレンズホルダと、
前記レンズホルダが設けられるアクチュエータユニットと、
前記アクチュエータユニットが設けられるハウジングと
を有し、
前記第１対物レンズ及び前記第２対物レンズは、夫々のレンズ面のコマ収差の波面の位相が最も進んでいる方向を前記情報記録媒体の回転中心方向に向けて前記レンズホルダに設けられ、
前記第１対物レンズは、その前記情報記録媒体の前記記録面に向かう光軸を前記第１鏡筒の光軸に一致させた状態で前記レンズホルダに設けられ、
前記第１対物レンズの前記記録面に対するコマ収差をキャンセルするのに必要な当該第１対物レンズの前記光軸の傾斜角を第１傾斜角とし、前記第２対物レンズの前記記録面に対するコマ収差をキャンセルするのに必要な当該第２対物レンズの前記記録面に向かう光軸の傾斜角を第２傾斜角として（第１傾斜角＞第２傾斜角）、前記第２対物レンズは、その前記光軸が前記第２鏡筒の光軸に対して、前記第１傾斜角と前記第２傾斜角との差（第１傾斜角−第２傾斜角）に相当する角度だけ前記回転中心方向に傾斜させた状態で前記レンズホルダに設けられ、
前記アクチュエータユニットは、前記第１対物レンズの前記光軸が前記第１傾斜角だけ前記回転中心方向とは反対方向に傾斜するように前記ハウジングに設けられている
ことを特徴とする光ピックアップ装置。
【請求項３】
回転する情報記録媒体に光束を照射し、前記情報記録媒体から反射される光束を検出する光ピックアップ装置であって、
前記情報記録媒体に光束を集光させる第１対物レンズと、
前記情報記録媒体に光束を集光させる第２対物レンズと、
その端面に前記第１対物レンズが設けられる第１鏡筒、及びその端面に前記第２対物レンズが設けられる第２鏡筒を有するレンズホルダと、
前記レンズホルダが設けられるアクチュエータユニットと、
前記アクチュエータユニットが設けられるハウジングと
を有し、
前記第１対物レンズ及び前記第２対物レンズは、夫々のレンズ面のコマ収差の波面の位相が最も進んでいる方向を前記情報記録媒体の回転中心方向とは反対方向に向けて前記レンズホルダに設けられ、
前記第１対物レンズは、その前記情報記録媒体の前記記録面に向かう光軸を前記第１鏡筒の光軸に一致させた状態で前記レンズホルダに設けられ、
前記第１対物レンズの前記記録面に対するコマ収差をキャンセルするのに必要な当該第１対物レンズの前記光軸の傾斜角を第１傾斜角とし、前記第２対物レンズの前記記録面に対するコマ収差をキャンセルするのに必要な当該第２対物レンズの前記記録面に向かう光軸の傾斜角を第２傾斜角として（第１傾斜角＞第２傾斜角）、前記第２対物レンズは、その前記光軸が前記第２鏡筒の光軸に対して、前記第１傾斜角と前記第２傾斜角との差（第１傾斜角−第２傾斜角）に相当する角度だけ前記回転中心方向とは反対方向に傾斜させた状態で前記レンズホルダに設けられ、
前記アクチュエータユニットは、前記第１対物レンズの前記光軸が前記第１傾斜角だけ前記回転中心方向の方向に傾斜するように前記ハウジングに設けられている
ことを特徴とする光ピックアップ装置。
【請求項４】
請求項１〜３のいずれか一項に記載の光ピックアップ装置であって、
前記第１傾斜角を、複数の前記第１対物レンズのコマ収差の平均値に基づいて求めた角度とする
ことを特徴とする光ピックアップ装置。
【請求項５】
請求項１〜４のいずれか一項に記載の光ピックアップ装置であって、
前記第２対物レンズを、その前記情報記録媒体の記録面に向かう光軸を前記第２鏡筒の光軸に一致させた状態で前記レンズホルダに設ける
ことを特徴とする光ピックアップ装置。
【請求項６】
請求項１〜５のいずれか一項に記載の光ピックアップ装置であって、
前記第１対物レンズが、ＢＤ規格又はＨＤ−ＤＶＤ規格用の対物レンズであり、
前記第２対物レンズが、ＤＶＤ／ＣＤ規格用の対物レンズである
ことを特徴とする光ピックアップ装置。
【請求項７】
回転する情報記録媒体に光束を照射し、前記情報記録媒体から反射される光束を検出し、
前記情報記録媒体に光束を集光させる第１対物レンズと、
前記情報記録媒体に光束を集光させる第２対物レンズと、
その端面に前記第１対物レンズが設けられる第１鏡筒、及びその端面に前記第２対物レンズが設けられる第２鏡筒を有するレンズホルダと、
前記レンズホルダが設けられるアクチュエータユニットと、
前記アクチュエータユニットが設けられるハウジングと
を有する光ピックアップ装置の製造方法であって、
前記第１対物レンズ及び前記第２対物レンズを、夫々のレンズ面のコマ収差の波面の位相が最も進んでいる方向を前記情報記録媒体の径方向に向けて前記レンズホルダに設け、
前記第１対物レンズを、その前記情報記録媒体の記録面に向かう光軸を前記第１鏡筒の光軸に一致させた状態で前記レンズホルダに設け、
前記第１対物レンズの前記記録面に対するコマ収差をキャンセルするのに必要な当該第１対物レンズの前記光軸の傾斜角を第１傾斜角とし、前記第２対物レンズの前記記録面に対するコマ収差をキャンセルするのに必要な当該第２対物レンズの前記記録面に向かう光軸の傾斜角を第２傾斜角として（第１傾斜角＞第２傾斜角）、前記第２対物レンズを、その前記光軸が前記第２鏡筒の光軸に対して、前記第１傾斜角と前記第２傾斜角との差（第１傾斜角−第２傾斜角）に相当する角度だけ前記径方向に傾斜させて前記レンズホルダに設け、
前記アクチュエータユニットを、前記第１対物レンズの前記光軸が前記第１傾斜角だけ前記径方向に傾斜するように前記ハウジングに設ける
ことを特徴とする光ピックアップ装置の製造方法。
【発明の詳細な説明】
【技術分野】
【０００１】
本発明は、光ピックアップ装置、及び光ピックアップ装置の製造方法に関し、とくに簡素な調整／製造工程にて光ピックアップ装置に実装される複数の対物レンズの夫々のコマ収差を適切に補正するための技術に関する。
【背景技術】
【０００２】
光ピックアップ装置（Optical Pickup Unit）に搭載される、ＢＤ（Blu-ray Disk）規格やＨＤ−ＤＶＤ（High Definition Digital Versatile Disk）規格などに準拠した光ディスクの記録／再生に用いられる対物レンズは、その材質（ガラス製、樹脂製等）に拘わらず、入射面頂と出射面頂のずれに起因するコマ収差が大きいことが知られている。図１２は対物レンズの面頂ずれ量とコマ収差との関係を例示したものであるが、同図に示すように、この例のＢＤ規格に用いられる対物レンズの場合、１μｍの面頂ずれに対して４０ｍλｒｍｓものコマ収差が発生している。
【０００３】
ところで、光ピックアップ装置に用いられる対物レンズのＷＤ（Working Distance）は、光ディスクの種類によって必ずしも同一でなく、例えばＢＤ規格の光ディスクとＣＤ／ＤＶＤ規格の光ディスクの双方に対応した光ピックアップ装置には、ＢＤ規格用とＣＤ／ＤＶＤ規格用の２つの対物レンズを設ける必要がある。そしてそのような光ピックアップ装置においては、製造時に個々の対物レンズについて光軸調整を行ってコマ収差を適切に補正する必要がある（例えば特許文献１を参照）。
【先行技術文献】
【特許文献】
【０００４】
【特許文献１】特開２００８−６５８８９号公報
【発明の概要】
【発明が解決しようとする課題】
【０００５】
ここで特許文献１に開示される技術では、各対物レンズのコマ収差を適切に補正すべく、光軸を調整するためのホルダを対物レンズごとに個別に設けている。このため、特許文献１の技術を採用した場合、光ピックアップ装置の構造が複雑になってしまう。また同文献に開示された技術を採用する場合、各対物レンズの光軸調整を個別に行う必要があり、光ピックアップ装置の製造／調整工程の煩雑化を避けられない。またＢＤ規格やＨＤ−ＤＶＤ規格などに準拠した光ディスクの記録／再生に用いられる対物レンズは、ＤＶＤ／ＣＤ規格に準拠した光ディスクの記録／再生に用いられる対物レンズに比べてコマ収差が大きく、製造／調整時に精密な作業が要求され製造負担が大きくなる。
【０００６】
本発明はこのような課題に鑑みてなされたもので、複数の対物レンズのコマ収差を適切に補正しつつ、簡素な調整／製造工程によって製造することが可能な光ピックアップ装置、及び光ピックアップ装置の製造方法を提供することを目的とする。
【課題を解決するための手段】
【０００７】
上記目的を達成するための本発明の一つは、
回転する情報記録媒体に光束を照射し、前記情報記録媒体から反射される光束を検出する光ピックアップ装置であって、
前記情報記録媒体に光束を集光させる第１対物レンズと、
前記情報記録媒体に光束を集光させる第２対物レンズと、
その端面に前記第１対物レンズが設けられる第１鏡筒、及びその端面に前記第２対物レンズが設けられる第２鏡筒を有するレンズホルダと、
前記レンズホルダが設けられるアクチュエータユニットと、
前記アクチュエータユニットが設けられるハウジングと
を有し、
前記第１対物レンズ及び前記第２対物レンズは、夫々のレンズ面のコマ収差の波面の位相が最も進んでいる方向を前記情報記録媒体の径方向に向けて前記レンズホルダに設けられ、
前記第１対物レンズは、その前記情報記録媒体の記録面に向かう光軸を前記第１鏡筒の光軸に一致させた状態で前記レンズホルダに設けられ、
前記第１対物レンズの前記記録面に対するコマ収差をキャンセルするのに必要な当該第１対物レンズの前記光軸の傾斜角を第１傾斜角とし、前記第２対物レンズの前記記録面に対するコマ収差をキャンセルするのに必要な当該第２対物レンズの前記記録面に向かう光軸の傾斜角を第２傾斜角として（第１傾斜角＞第２傾斜角）、前記第２対物レンズは、その前記光軸が前記第２鏡筒の光軸に対して、前記第１傾斜角と前記第２傾斜角との差（第１傾斜角−第２傾斜角）に相当する角度だけ前記径方向に傾斜させて前記レンズホルダに設けられ、
前記アクチュエータユニットは、前記第１対物レンズの前記光軸が前記第１傾斜角だけ前記径方向に傾斜するように前記ハウジングに設けられていることとする。
【０００８】
また本発明の他の一つでは、前記第１対物レンズ及び前記第２対物レンズは、夫々のレンズ面のコマ収差の波面の位相が最も進んでいる方向を前記情報記録媒体の回転中心方向に向けて前記レンズホルダに設けられ、
前記第２対物レンズは、その前記光軸が前記第２鏡筒の光軸に対して、前記第１傾斜角と前記第２傾斜角との差（第１傾斜角−第２傾斜角）に相当する角度だけ前記回転中心方向に傾斜させた状態で前記レンズホルダに設けられ、
前記アクチュエータユニットは、前記第１対物レンズの前記光軸が前記第１傾斜角だけ前記回転中心方向とは反対方向に傾斜するように前記ハウジングに設けられていることとする。
【０００９】
また例えば、前記第１対物レンズ及び前記第２対物レンズは、夫々のレンズ面のコマ収差の波面の位相が最も進んでいる方向を前記情報記録媒体の回転中心方向とは反対方向に向けて前記レンズホルダに設けられ、
前記第２対物レンズは、その前記光軸が前記第２鏡筒の光軸に対して、前記第１傾斜角と前記第２傾斜角との差（第１傾斜角−第２傾斜角）に相当する角度だけ前記回転中心方向とは反対方向に傾斜させた状態で前記レンズホルダに設けられ、
前記アクチュエータユニットは、前記第１対物レンズの前記光軸が前記第１傾斜角だけ前記回転中心方向の方向に傾斜するように前記ハウジングに設けられていることとする。
【００１０】
また前記第１対物レンズは、例えばＢＤ規格又はＨＤ−ＤＶＤ規格用の対物レンズであり、前記第２対物レンズは、例えばＤＶＤ／ＣＤ規格用の対物レンズであることとする。
【００１１】
一般に対物レンズをその光軸がレンズホルダの光軸に対して所定の角度で傾斜させた状態でレンズホルダに設けようとすると、対物レンズをレンズホルダに固定するための接着剤の状態や作業環境の違いにより、光軸方向の精度維持の為に繊細な作業が要求される。本発明によれば、第１対物レンズについてはその光軸を第１鏡筒の光軸に一致させるようにしているので、例えばレンズホルダを第１鏡筒の光軸が鉛直になるように保持し、第１対物レンズをその光軸を鉛直に保ちつつ第１鏡筒の端面に固定するといった簡易な方法で第１対物レンズを精度よく容易にレンズホルダに設けることができる。このため、ＢＤ規格又はＨＤ−ＤＶＤ規格に準拠した光ディスクの記録／再生に用いられる用の対物レンズのようにコマ収差が大きな対物レンズについても、光ピックアップ装置１の性能を低下させることなく使いこなすことができる。
【００１２】
また本発明においては、第１対物レンズ及び第２対物レンズを、コマ収差の波面の位相が最も進んでいる方向を径方向に一致させてレンズホルダに設けるようにしており、これによれば線束方向（情報記録媒体（光ディスク）の接線方向）に対してはコマ収差が生じることがない。
【００１３】
また本発明の他の一つでは、前記第１傾斜角は、複数の前記第１対物レンズのコマ収差の平均値に基づいて求めた角度とする。
【００１４】
第１対物レンズの第１傾斜角について、製造ロット等における平均値を取得できる場合には、第１傾斜角として平均値を採用することもできる。平均値を採用することで、複数の第１対物レンズについて一律に第１傾斜角を設定することができ、第１対物レンズごとに固有の第１傾斜角を設定する場合に比べて、光ピックアップ装置の製造／調整工程を大幅に簡略化、省力化することができる。このため、光ピックアップ装置の製造効率を向上することができる。
【００１５】
また本発明の他の一つでは、第２対物レンズを、その前記情報記録媒体の記録面に向かう光軸を前記第２鏡筒の光軸に一致させた状態で前記レンズホルダに設けるようにする。
【００１６】
例えば第１対物レンズがＢＤ規格用の対物レンズであり、第２対物レンズがＤＶＤ／ＣＤ規格用のレンズである場合には、第２対物レンズは第１対物レンズに比べて光軸の変化に対するコマ収差の変化が小さいため、第２対物レンズを、その情報記録媒体の記録面に向かう光軸を第２鏡筒の光軸に一致させた状態でレンズホルダに設けたとしても、光ピックアップ装置の光学系の誤差を許容範囲内に収めることができる。そして第２対物レンズを、その光軸を第２鏡筒の光軸に一致させた状態でレンズホルダに設けるようにすることで、第１対物レンズと同様に、第２対物レンズについても簡易な方法でレンズホルダに精度よく固定することができる。このため、光ピックアップ装置の製造／調整工程を簡略化し省力化することができる。
【００１７】
その他、本願が開示する課題、及びその解決方法は、発明を実施するための形態の欄、及び図面により明らかにされる。
【発明の効果】
【００１８】
本発明によれば、複数の対物レンズのコマ収差を適切に補正しつつ、簡素な調整／製造工程で光ピックアップ装置を製造することができる。
【図面の簡単な説明】
【００１９】
【図１】光ピックアップ装置１の光学系の構成を示す図である。
【図２】光ピックアップ装置１の第１光学系の構成を説明する図である。
【図３】光ピックアップ装置１の第２光学系の構成を説明する図である。
【図４】ハウジング５０とこれに実装された光学系の様子を示す斜視図である。
【図５】光ディスク装置５００の一例を示すブロック図である。
【図６】第１対物レンズ１８及び第２対物レンズ３８周辺の構造を示す斜視図である。
【図７Ａ】第１対物レンズ１８及び第２対物レンズ３８をレンズホルダ６０に搭載した状態を模式的に示した側面図である。
【図７Ｂ】第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。
【図８】対物レンズの光軸を傾斜させることにより対物レンズのコマ収差がキャンセルされる仕組みを説明する図である。
【図９Ａ】第２実施形態における、第１対物レンズ１８及び第２対物レンズ３８をレンズホルダ６０に搭載した状態を模式的に示した側面図である。
【図９Ｂ】第２実施形態における、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。
【図１０Ａ】第３実施形態における、第１対物レンズ１８及び第２対物レンズ３８をレンズホルダ６０に搭載した状態を模式的に示した側面図である。
【図１０Ｂ】第３実施形態における、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。
【図１１Ａ】第４実施形態における、第１対物レンズ１８及び第２対物レンズ３８をレンズホルダ６０に搭載した状態を模式的に示した側面図である。
【図１１Ｂ】第４実施形態における、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。
【図１２】対物レンズの面頂ずれ量とコマ収差との関係を示すグラフである。
【発明を実施するための最良の形態】
【００２０】
以下、発明を実施するための最良の形態について説明する。本実施形態で説明する光ピックアップ装置１は、回転する情報記録媒体５に光束を照射し、情報記録媒体５から反射される光束を検出する装置である。光ピックアップ装置１は、例えば後述する光ディスク装置５００などの情報記録再生装置に実装される。
【００２１】
本実施形態の光ピックアップ装置１によって情報の記録又は再生が行われる情報記録媒体５は、例えばＢＤ（Blu-ray Disk）規格又はＨＤ−ＤＶＤ（High Definition Digital Versatile Disk）規格の光ディスク(第１光ディスク)、ＣＤ（Compact Disk）規格の光ディスク(第２光ディスク)、ＤＶＤ（Digital Versatile Disk）規格の光ディスク(第３光ディスク)である。
【００２２】
＜第１実施形態＞
図１乃至図３に、第１実施形態として説明する光ディスクの信号再生もしくは信号記録に用いられる光ピックアップ装置１の光学系の構成を示している。光ピックアップ装置１の光学系は、第１光ディスクについての光学系である第１光学系と、第２光ディスクと第３光ディスクについての光学系である第２光学系とを有する。このうち第１光学系は、例えばＢＤ規格又はＨＤ−ＤＶＤ規格の光ディスクの記録再生のための光学系を構成し、第２光学系は、例えばＣＤ規格やＤＶＤ規格の光ディスクの記録再生のための光学系を構成している。図１に示す矢線Ｘは、情報記録媒体５の径方向（ラジアル方向）を示している。＋Ｘの方向に情報記録媒体５の回転中心が存在する。
【００２３】
まず第１光学系について説明する。第１光学系は、第１レーザー光放射器１１、第１回折格子１２、第１ビームスプリッタ１３、第１反射ミラー１４、第１コリメートレンズ１５、第１立ち上げミラー１６、第１の１／４波長板１７、第１対物レンズ１８、第１センサーレンズ１９（検出レンズ）、及び第１光検出器２０を含んで構成されている。
【００２４】
第１レーザー光放射器１１は、第１波長（例えば４０５ｎｍの青色光）の第１レーザー光を放射する。第１レーザー光放射器１１は、例えば半導体レーザー等の発光素子を用いて構成される。
【００２５】
第１回折格子１２には、第１レーザー光放射器１１から放射される第１レーザー光が入射する。第１回折格子１２は、第１レーザー光を０次光、＋１次回折光、及び−１次回折光に分離する回折格子、及び、直線偏光光である第１レーザー光の偏光方向を所定の方向に変換する１／２波長板を構成要素とする。
【００２６】
第１ビームスプリッタ１３は、第１回折格子１２から入射する第１レーザー光を反射し、一方、第１反射ミラー１４から入射する戻り光は透過する。第１反射ミラー１４は、第１ビームスプリッタ１３から入射する第１レーザー光を第１コリメートレンズ１５の方向に反射する。
【００２７】
第１コリメートレンズ１５は、第１反射ミラー１４から入射する第１レーザー光を平行光に変換する。第１コリメートレンズ１５によって変換された第１レーザー光（平行光）は第１立ち上げミラー１６に入射する。第１立ち上げミラー１６は、第１コリメートレンズ１５から入射する第１レーザー光を光ディスクの記録面に垂直な方向に反射する。
【００２８】
図２に示すように、第１立ち上げミラー１６によって光ディスクの記録面に垂直な方向に反射された第１レーザー光は、第１の１／４波長板１７に入射する。第１レーザー光は、第１の１／４波長板１７によって直線偏光光から円偏光光に変換される。
【００２９】
第１の１／４波長板１７を透過した第１レーザー光（円偏光光）は、第１対物レンズ１８に入射する。第１対物レンズ１８は、入射する第１レーザー光（円偏光光）を光ディスクの信号記録層に集束させる。
【００３０】
以上の構成からなる第１光学系において、第１対物レンズ１８によって集束されて光ディスクの信号記録層に入射された第１レーザー光の戻り光は、第１対物レンズ１８によって平行光に変換されて第１の１／４波長板１７に入射し、第１の１／４波長板１７によって円偏光光から直線偏光光（第１立ち上げミラー１６から入射した時と逆方向）に変換される。直線偏光光となった戻り光は、第１立ち上げミラー１６、第１コリメートレンズ１５、第１反射ミラー１４を経由して第１ビームスプリッタ１３に入射する。
【００３１】
第１ビームスプリッタ１３に入射した戻り光は、第１ビームスプリッタ１３を透過して第１センサーレンズ１９を透過し、第１光検出器２０に入射する。第１センサーレンズ１９は、戻り光を第１光検出器２０上に収束させるとともに、戻り光に非点収差を発生させてフォーカスエラー信号を生成する。第１センサーレンズ１９の入射面側又は出射面側には、例えばシリンドリカル面、平面、凹曲面、又は凸曲面が形成されている。
【００３２】
第１光検出器２０は、複数に分割（例えば第１回折格子１２により３分割された各レーザー光の各受光領域がそれぞれ４分割）された光検出領域を有する。第２光検出器４０は、例えばフォトダイオード等の受光素子を用いて構成されている。尚、第１光検出器２０によって検出された信号に基づく信号再生動作や信号記録動作、第１光検出器２０によって検出された信号の処理方法、ＤＰＰ（Differential Push Pull）等によるトラッキング誤差検出方法、非点収差法等によるフォーカス誤差検出方法等についてはいずれも周知であるので詳細は省略する。
【００３３】
次に第２光学系について説明する。第２光学系には、第２レーザー光放射器３１、第２回折格子３２、第２の１／４波長板３３、第２ビームスプリッタ３４、第３の１／４波長板３５、第２コリメートレンズ３６、第２立ち上げミラー３７、第２対物レンズ３８、第２センサーレンズ３９（検出レンズ）、及び第２光検出器４０を含んで構成されている。
【００３４】
第２レーザー光放射器３１は、第２波長（例えば７８０ｎｍの赤外光）の第２レーザー光、及び第３波長（例えば６５０ｎｍの赤色光）の第３レーザー光を放射する。第２レーザー光放射器３１は、例えば２波長レーザーダイオード等の半導体レーザー（発光素子）を用いて構成される。
【００３５】
第２回折格子３２には、第２レーザー光放射器３１から放射される第２レーザー光又は第３レーザー光が入射する。第２回折格子３２は、入射するレーザー光を０次光、＋１次回折光及び−１次回折光に分離する回折格子、及び、直線偏光光として入射する第２レーザー光又は第３レーザー光の偏光方向を所定の方向に変換する１／２波長板を構成要素とする。
【００３６】
第２の１／４波長板３３には、第２回折格子３２を通過した第２レーザー光又は第３レーザー光が入射する。第２の１／４波長板３３は、入射する第２レーザー光又は第３レーザー光を直線偏光光から円偏光光に変換する。
【００３７】
第２ビームスプリッタ３４は、第２の１／４波長板３３から入射する第２レーザー光又は第３レーザー光を反射し、一方、第３の１／４波長板３５から入射する戻り光は透過する。
【００３８】
第３の１／４波長板３５には、第２ビームスプリッタ３４で反射した第２レーザー光又は第３レーザー光が入射する。第３の１／４波長板３５は、入射するレーザー光を直線偏光光から円偏光光に変換する。尚、後述するように第３の１／４波長板３５は、第２コリメートレンズ３６の一方の面に設けられている。
【００３９】
第２コリメートレンズ３６は、第２ビームスプリッタ３４で反射された後、第３の１／４波長板３５を透過して入射する第２レーザー光又は第３レーザー光を平行光に変換し、第２立ち上げミラー３７に入射させる。
【００４０】
第２立ち上げミラー３７は、入射する第２レーザー光又は第３レーザー光を光ディスクの記録面に垂直な方向に反射する。図３に示すように、第２立ち上げミラー３７で反射された第２レーザー光又は第３レーザー光は第２対物レンズ３８に入射する。第２対物レンズ３８は、入射する第２レーザー光又は第３レーザー光を光ディスクの信号記録層に集束させる。
【００４１】
以上の構成からなる第２光学系において、第２対物レンズ３８によって集束されて光ディスクの信号記録層に入射された第２レーザー光又は第３レーザー光の戻り光は、第２対物レンズ３８によって平行光に変換された後、第２立ち上げミラー３７、第２コリメートレンズ３６、第３の１／４波長板３５を経由して第２ビームスプリッタ３４に入射する。そして第２ビームスプリッタ３４に入射した戻り光は、第２ビームスプリッタ３４を透過して第２センサーレンズ３９を透過し、最終的に第２光検出器４０に入射する。
【００４２】
第２センサーレンズ３９は、戻り光を第２光検出器４０上に収束させるとともに、戻り光に非点収差を発生させてフォーカスエラー信号を生成する。第２センサーレンズ３９の入射面側又は出射面側には、例えばシリンドリカル面、平面、凹曲面、又は凸曲面が形成されている。
【００４３】
第２光検出器４０は、複数に分割（例えば第２回折格子３２により３分割された各レーザー光の各受光領域がそれぞれ４分割）された光検出領域を有する。第２光検出器４０は、例えばフォトダイオード等の受光素子を用いて構成される。尚、第２光検出器４０によって検出された信号に基づく信号再生動作や信号記録動作、第２光検出器４０によって検出された信号の処理方法、ＤＰＰ（Differential Push Pull）等によるトラッキング誤差検出方法、非点収差法等によるフォーカス誤差検出方法等についてはいずれも周知であるので詳細は省略する。
【００４４】
図４は以上の構成からなる光学系を金属製や樹脂等の素材からなるハウジング５０に実装した状態を示す斜視図である。同図において矢線Ｘは、情報記録媒体５の径方向（ラジアル方向）を示している。＋Ｘ方向に情報記録媒体５の回転中心が存在する。
【００４５】
同図に示すように、光ピックアップ装置１の光学系の各構成要素は、これらが図１乃至図３に示した位置関係となるように、ハウジング５０の所定位置に設けられている。光学系の各構成要素は、ハウジング５０内に設けられている凸部や仕切り板等に接着もしくは嵌合されることによりハウジング５０に設けられている。
【００４６】
図５は以上に説明した光ピックアップ装置１を用いて構成される光ディスク装置５００の一例を示すブロック図である。同図に示すように、この光ディスク装置５００は、前述した光ピックアップ装置１の構成に加えて、スピンドルモータ５０２、モーター駆動回路５０３、レーザードライバ５０４、アクセス機構５０５、変調回路５０６、増幅回路５０７、復調回路５０８、フォーカス制御回路５０９、トラッキング制御回路５１０、チルト制御回路５１１、システム制御装置５１２、及び外部装置５１３を備えている。
【００４７】
スピンドルモータ５０２は、情報記録媒体５を回転させる。モーター駆動回路５０３は、システム制御装置５１２から送られてくる制御信号に応じてスピンドルモータ５０２の回転を制御する。
【００４８】
アクセス機構５０５は、システム制御装置５１２から送られてくる制御信号に応じて光ピックアップ装置１を情報記録媒体５の径方向（ラジアル方向）に移動させる。
【００４９】
レーザードライバ５０４は、変調回路５０６から入力される信号に応じて第１レーザー光放射器１１及び第２レーザー光放射器３１からのレーザー光の放射を制御する。変調回路５０６は、システム制御装置５１２から入力される、情報記録媒体５に記録するデータを記録用のパルス信号に変調する。情報記録媒体５に記録する上記データは、例えばシステム制御装置５１２を介してパーソナルコンピュータ等の外部装置５１３から随時供給される。
【００５０】
増幅回路５０７は、光ピックアップ装置１の第１光検出器２０又は第２光検出器４０から出力される電気信号に含まれているＲＦ信号（RF:Radio Frequency）を増幅し、復調回路５０８に出力する。復調回路５０８は、増幅回路５０７から入力されるＲＦ信号を復調してシステム制御装置５１２に出力する。システム制御装置５１２は、復調回路５０８から入力される復調信号に基づくデータ信号を外部装置５１３に出力する。
【００５１】
フォーカス制御回路５０９、トラッキング制御回路５１０、及びチルト制御回路５１１は、第１対物レンズ１８及び第２対物レンズ３８の駆動制御を行う。
【００５２】
このうちフォーカス制御回路５０９は、光ピックアップ装置１の第１光検出器２０又は第２光検出器４０から出力される電気信号に含まれるフォーカスエラー信号を検出し、検出したフォーカスエラー信号に基づき第１対物レンズ１８及び第２対物レンズ３８のフォーカス制御を行う。
【００５３】
トラッキング制御回路５１０は、光ピックアップ装置１の第１光検出器２０又は第２光検出器４０から出力される電気信号に含まれるトラッキングエラー信号を検出し、検出したトラッキングエラー信号に基づき第１対物レンズ１８及び第２対物レンズ３８のトラッキング制御を行う。
【００５４】
チルト制御回路５１１は、光ピックアップ装置１の第１光検出器２０又は第２光検出器４０から出力される電気信号に含まれるチルトエラー信号を検出し、検出したチルトエラー信号に基づき第１対物レンズ１８及び第２対物レンズ３８のチルト制御を行う。
【００５５】
図６は光ピックアップ装置１の第１対物レンズ１８及び第２対物レンズ３８周辺の構造を示す斜視図である。同図に示す構造は、図４に示したハウジング５０の背面側に設けられる。同図において矢線Ｙは、情報記録媒体５の記録面に垂直な方向を示している。＋Ｙ方向に情報記録媒体５の記録面が存在する。
【００５６】
同図に示すように、第１対物レンズ１８及び第２対物レンズ３８は、一つのレンズホルダ６０の所定位置に設けられている。レンズホルダ６０及びその周囲には、各種コイル６０１（フォーカシングコイル、トラッキングコイル、チルトコイル）、各コイル６０１に電流を供給するための機構（図示せず）、及び、各コイル６０１に磁場を供給する磁石６０２などが配置されている。同図に示すように、レンズホルダ６０、コイル６０１、及び磁石６０２はユニット化されている（以下、このユニットのことをアクチュエータユニット７０と称する）。
【００５７】
レンズホルダ６０は、当該レンズホルダ６０の所定位置に第１対物レンズ１８及び第２対物レンズ３８を固定した後、アクチュエータユニット７０に固定される。アクチュエータユニット７０は、レンズホルダ６０が固定された後、ハウジング５０に固定される。第１対物レンズ１８及び第２対物レンズ３８をレンズホルダ６０に固定する際、並びに、アクチュエータユニット７０をハウジング５０に固定する際は、オートコリメータやゴニオステージ等を用いて第１対物レンズ１８及び第２対物レンズ３８の光軸調整が行われる。
【００５８】
尚、第１対物レンズ１８及び第２対物レンズ３８のレンズホルダ６０への固定、及び、アクチュエータユニット７０のハウジング５０への固定は、熱硬化性接着剤などの接着剤による接着により行うものとする。但しこれに限定される訳ではなく、接着に代えてもしくは接着と併用して嵌合などの方法で行うようにしてもよい。
【００５９】
図７Ａは、第１対物レンズ１８及び第２対物レンズ３８をレンズホルダ６０に搭載した状態を模式的に示した側面図である。同図において、矢線Ｘは情報記録媒体５の径方向（ラジアル方向）を示している。レンズホルダ６０が光ピックアップ装置１に組み込まれた状態では、＋Ｘ方向に情報記録媒体５の回転中心が存在する。同図において、矢線Ｙは情報記録媒体５の記録面に垂直な方向を示している。レンズホルダ６０が光ピックアップ装置１に組み込まれた状態では、レンズホルダ６０に対して＋Ｙ側に情報記録媒体５が存在し、レンズホルダ６０に対して−Ｙ側にハウジング５０が存在する。尚、同図において、第１対物レンズ１８や第２対物レンズ３８の傾斜角は実際の角度よりも強調して描いている。
【００６０】
図７Ａに示すように、レンズホルダ６０の所定位置には、前述した第１光学系の光路を構成している第１鏡筒６１、及び、前述した第２光学系の光路を構成している第２鏡筒６２が設けられている。第１鏡筒６１及び第２鏡筒６２は、いずれもレンズホルダ６０を±Ｙ方向に貫通して形成されている。第１鏡筒６１及び第２鏡筒６２は、夫々の光軸が鉛直方向を向くように形成されている。
【００６１】
第１光学系の構成要素である第１対物レンズ１８は、第１鏡筒６１の情報記録媒体５に面する側（＋Ｙ側）の端面に設けられている。また第２光学系の構成要素である第２対物レンズ３８は、第２鏡筒６２の情報記録媒体５に面する側（＋Ｙ側）の端面に設けられている。
【００６２】
レンズホルダ６０の第１鏡筒６１の端面には、第１対物レンズ１８を固定するための、図示しない取り付け部が設けられている。取り付け部の形状は、例えば擂鉢状もしくは球面形状である。例えば取り付け部の周囲には、第１対物レンズ１８又は第２対物レンズ３８の夫々の周縁を保持するための保持部や調整用の突部（ダボ）が形成されている。
【００６３】
第１対物レンズ１８及び第２対物レンズ３８は、いずれも夫々のコマ収差（３次(光軸となす角度αと光軸からの距離rの積について３次)のコマ収差）の波面の位相が最も進んでいる方向を情報記録媒体５の回転中心方向に向けてレンズホルダ６０に固定されている。尚、コマ収差の波面の位相が最も進んでいる方向は、例えば対物レンズの検査成績証明書の内容等に基づいて特定することができる。
【００６４】
第１対物レンズ１８は、その情報記録媒体５の記録面に向かう光軸の方向を第１鏡筒６１の光軸に一致させてレンズホルダ６０に固定されている。一方、第２対物レンズ３８は、その情報記憶媒体５の記録面に向かう光軸が次のような向きになるようにレンズホルダ６０に固定されている。
【００６５】
即ち、第１対物レンズ１８の情報記録媒体５の記録面に対するコマ収差をキャンセルするのに必要な第１対物レンズ１８の光軸の傾斜角を第１傾斜角とし、第２対物レンズ３８の情報記録媒体５の記録面に対するコマ収差をキャンセルするのに必要な第２対物レンズ３８の光軸の傾斜角を第２傾斜角として（第１傾斜角＞第２傾斜角）、第２対物レンズ３８は、その光軸を、第２鏡筒６２の光軸に対して、第１傾斜角と第２傾斜角の差（第１傾斜角−第２傾斜角）に相当する角度だけ情報記録媒体５の回転中心方向（＋Ｘ方向）に傾斜させてレンズホルダ６０に設けられている。
【００６６】
尚、第１対物レンズ１８及び第２対物レンズ３８の光軸調整は、例えばレンズホルダ６０を水平面７に載置したり治具等で固定するなどして、レンズホルダ６０を、その第１鏡筒６１の光軸及び第２鏡筒６２の光軸が鉛直方向を向くように固定した状態で行われる。
【００６７】
ここで対物レンズのコマ収差は、上記のようにその光軸をコマ収差の位相が進んでいる側に傾斜させることによりキャンセルすることができる。図８は対物レンズの光軸を傾斜させることにより対物レンズのコマ収差がキャンセルされる仕組みを説明する図である。同図において、縦軸は対物レンズの径（対物レンズの中心からの距離（原点がレンズの中心））であり、横軸はコマ収差の波面の位相（λ）である。同図に示すように、対物レンズの光軸を符号ａで示す方向に傾けることにより波面収差の位相が実線で示す位相から破線で示す位相に修正され（波面収差の位相を平坦化）、コマ収差をキャンセルすることができる。
【００６８】
対物レンズの光軸の傾斜角に対するコマ収差の変化は、光軸をコマ収差の波面の位相が最も進んでいる方向に傾斜させた場合に最大となる。本実施形態では、第１対物レンズ１８及び第２対物レンズ３８を、いずれも夫々のレンズ面のコマ収差の波面の位相が最も進んでいる方向を情報記録媒体５の回転中心方向に一致させてレンズホルダ６０に固定しているので、最小の傾斜角でコマ収差を有効にキャンセルすることができる。このため、対物レンズの光軸を傾斜させることによって生じる光学的な性能の低下（例えば光量の減少）を最小限に抑えつつ、コマ収差を効果的にキャンセルすることができる。
【００６９】
図７Ｂは、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。同図において、矢線Ｘは情報記録媒体５の径方向（ラジアル方向）を示している。＋Ｘ方向に情報記録媒体５の回転中心が存在する。一方、矢線Ｙは情報記録媒体５の記録面に垂直な方向を示している。尚、同図において、第１対物レンズ１８や第２対物レンズ３８の傾斜角、及びアクチュエータユニット７０の傾斜角は実際の角度よりも強調して描いている。
【００７０】
同図に示すように、アクチュエータユニット７０は、第１対物レンズ１８の情報記録媒体５の記録面に向かう光軸が第１傾斜角だけ情報記録媒体５の回転中心方向とは反対方向に傾斜するように、ハウジング５０に固定されている。
【００７１】
ここで対物レンズを、その光軸がレンズホルダ６０の光軸に対して所定の角度で傾斜するようにレンズホルダ６０に固定しようとした場合には、固定に用いる接着剤の性状や接着剤に作用する重力の影響、温度等の周囲環境の影響等を受けやすく、光軸の傾斜角の精度を確保するには限界がある。とくにＢＤ規格やＨＤ−ＤＶＤ規格に準拠した光ディスクの記録／再生に用いる対物レンズのように、傾斜角の変化に対するコマ収差の変化が大きい対物レンズについては、光軸の傾斜角の精度確保が難しくなる。
【００７２】
しかし本実施形態の光ピックアップ装置１においては、前述したように第１対物レンズ１８についてはその光軸を第１鏡筒６１の光軸に一致させてレンズホルダ６０に設けているので、光軸の方向精度を容易に確保することができる。即ち、例えばレンズホルダ６０を第１鏡筒６１の光軸が鉛直になるように保持しておき、第１対物レンズ１８をその光軸を鉛直に保ちつつ第１鏡筒６２の端面に固定するといった簡易な方法により、第１対物レンズ１８を精度よくレンズホルダ６０に固定することができる。
【００７３】
また本実施形態のピックアップ装置１によれば、第１対物レンズ１８について光軸調整を行ってそのコマ収差を補正することで、第２対物レンズ３８のコマ収差についても同時に補正される。このため、製造工程及び調整工程が簡素化され、光ピックアップ装置１の製造効率を向上させることができる。またＢＤ規格又はＨＤ−ＤＶＤ規格に準拠した光ディスクの記録／再生に用いられる対物レンズのようにコマ収差が大きな対物レンズについても、光ピックアップ装置１の性能を低下させることなく使いこなすことができる。
【００７４】
また本実施形態の光ピックアップ装置１では、第１対物レンズ１８及び第２対物レンズ３８を、夫々のコマ収差の波面の位相が最も進んでいる方向を径方向に一致させてレンズホルダ６０に設けているので、線束方向（接線方向）に対しては基本的にコマ収差が生じない。このため、光ピックアップ装置１の光学系の精度を高精度に保つことができる。
【００７５】
図７Ａにおいて、例えば第１対物レンズ１８の第１傾斜角が０．４°であり、第２対物レンズ３８の第２傾斜角が０．１°である場合、第１対物レンズ１８の光軸の第１鏡筒６１の光軸に対する径方向の傾斜角は０．０°、第２対物レンズ３８の光軸の第２鏡筒６２の光軸に対する径方向（回転中心方向）の傾斜角は（０．４°−０．１°＝０．３°）である。またこの場合、第１対物レンズ１８のコマ収差を適切に補正すべくアクチュエータユニット７０を傾斜させた後における、図７Ｂにおける第１対物レンズ１８の情報記録媒体５の記録面に垂直な方向に対する傾斜角は０．４°（＝第１傾斜角）であり、第２対物レンズ３８の情報記録媒体の記録面に垂直な方向に対する傾斜角は０．１°（＝第２傾斜角）である。
【００７６】
＜第２実施形態＞
図９Ａは、第２実施形態として説明する光ピックアップ装置１における、第１対物レンズ１８及び第２対物レンズ３８をレンズホルダ６０に搭載した状態を模式的に示した側面図である。また図９Ｂは、第２実施形態として説明する光ピックアップ装置１における、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。尚、図９Ａ，図９Ｂにおいて、第１対物レンズ１８や第２対物レンズ３８の傾斜角、及びアクチュエータユニット７０の傾斜角は実際の角度よりも強調して描いている。
【００７７】
第１実施形態では、第１対物レンズ１８及び第２対物レンズ３８を、いずれも夫々のコマ収差の波面の位相が最も進んでいる方向を情報記録媒体５の回転中心方向に向けてレンズホルダ６０に固定していたが、第２実施形態では、第１対物レンズ１８及び第２対物レンズ３８を、いずれも夫々のコマ収差の波面の位相が最も進んでいる方向を情報記録媒体５の回転中心方向とは反対方向に向けてレンズホルダ６０に固定している。
【００７８】
図９Ａに示すように、第１対物レンズ１８は、その情報記録媒体５の記録面に向かう光軸の方向を第１鏡筒６１の光軸に一致させてレンズホルダ６０に固定されている。一方、第２対物レンズ３８は、その情報記憶媒体５の記録面に向かう光軸が次のような向きになるようにレンズホルダ６０に固定されている。
【００７９】
即ち、第１対物レンズ１８の情報記録媒体５の記録面に対するコマ収差をキャンセルするのに必要な第１対物レンズ１８の光軸の傾斜角を第１傾斜角とし、第２対物レンズ３８の情報記録媒体５の記録面に対するコマ収差をキャンセルするのに必要な第２対物レンズ３８の光軸の傾斜角を第２傾斜角として（第１傾斜角＞第２傾斜角）、第２対物レンズ３８は、その光軸を、第２鏡筒６２の光軸に対して、第１傾斜角と第２傾斜角の差（第１傾斜角−第２傾斜角）に相当する角度だけ情報記録媒体５の回転中心方向（＋Ｘ方向）とは反対方向に傾斜させてレンズホルダ６０に設けている。
【００８０】
一方、図９Ｂに示すように、アクチュエータユニット７０は、第１対物レンズ１８の情報記録媒体５の記録面に向かう光軸が第１傾斜角だけ情報記録媒体５の回転中心方向に傾斜するように、ハウジング５０に固定している。
【００８１】
以上のように、第１対物レンズ１８及び第２対物レンズ３８は、いずれも夫々のコマ収差の波面の位相が最も進んでいる方向を情報記録媒体５の回転中心方向とは反対方向に向けてレンズホルダ６０に固定するようにすることもできる。そしてそのような構成とした場合でも、前述した第１実施形態と同様の効果を得ることができる。
【００８２】
図９Ａにおいて、例えば第１対物レンズ１８の第１傾斜角が０．４°であり、第２対物レンズ３８の第２傾斜角が０．１°である場合、第１対物レンズ１８の光軸の第１鏡筒６１の光軸に対する径方向の傾斜角は０．０°、第２対物レンズ３８の光軸の第２鏡筒６２の光軸に対する径方向（回転中心方向）の傾斜角は（０．４°−０．１°＝０．３°）である。またこの場合、第１対物レンズ１８のコマ収差を適切に補正すべくアクチュエータユニット７０を傾斜させた後における、図９Ｂにおける第１対物レンズ１８の情報記録媒体５の記録面に垂直な方向に対する傾斜角は０．４°（＝第１傾斜角）であり、第２対物レンズ３８の情報記録媒体の記録面に垂直な方向に対する傾斜角は０．１°（＝第２傾斜角）である。
【００８３】
＜第３実施形態＞
図１０Ａは、第３実施形態として説明する光ピックアップ装置１における、第１対物レンズ１８及び第２対物レンズ３８をレンズホルダ６０に搭載した状態を模式的に示した側面図である。また図１０Ｂは、第３実施形態として説明する光ピックアップ装置１における、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。尚、図１０Ａ，図１０Ｂにおいて、第１対物レンズ１８や第２対物レンズ３８の傾斜角、及びアクチュエータユニット７０の傾斜角は実際の角度よりも強調して描いている。
【００８４】
第３実施形態では、第１実施形態と同様に、第１対物レンズ１８及び第２対物レンズ３８は、いずれも夫々のコマ収差の波面の位相が最も進んでいる方向を情報記録媒体５の回転中心方向に向けてレンズホルダ６０に固定されている。
【００８５】
第１対物レンズ１８は、第１実施形態と同様に、その情報記録媒体５の記録面に向かう光軸の方向を第１鏡筒６１の光軸に一致させてレンズホルダ６０に固定されている。一方、第２対物レンズ３８は、第１実施形態とは異なり、その情報記憶媒体５の記録面に向かう光軸の方向を、第１対物レンズ１８と同様に第２鏡筒６１の光軸に一致させてレンズホルダ６０に固定している。
【００８６】
ここで第３実施形態は、第１対物レンズ１８の光軸の傾きの変化に対するコマ収差の変化に比べて、第２対物レンズ３８の光軸の傾きの変化に対するコマ収差の変化が十分に小さい場合に適用可能な実施形態である。即ち、そのような場合には、アクチュエータユニット７０をハウジング５０に固定する際、第１対物レンズ１８のコマ収差がキャンセルするための所定量だけアクチュエータユニット７０を傾斜させても、第２対物レンズ３８のコマ収差の変化を無視することができる。例えば第１対物レンズ１８がＢＤ規格用の対物レンズであり、第２対物レンズ３８がＤＶＤ／ＣＤ規格用のレンズである場合には、第２対物レンズ３８は第１対物レンズ１８に比べて光軸の変化に対するコマ収差の変化が小さいため、第２対物レンズ３８を、その情報記録媒体５の記録面に向かう光軸を第２鏡筒６２の光軸に一致させた状態でレンズホルダ６０に設けたとしても、光ピックアップ装置１の光学系の誤差を許容範囲内に収めることができる。そして第２対物レンズ３８を、その光軸を第２鏡筒６２の光軸に一致させた状態でレンズホルダ６０に設けるようにすることで、第１対物レンズ１８と同様に、第２対物レンズ３８についても簡易な方法でレンズホルダ６０に精度よく固定することができる。このため、光ピックアップ装置１の製造／調整工程を簡略化、省力化することができる。
【００８７】
図１０Ａにおいて、例えば第１対物レンズ１８の第１傾斜角が０．４°であり、第２対物レンズ３８の第２傾斜角が０．１°である場合、第１対物レンズ１８の光軸の第１鏡筒６１の光軸に対する径方向の傾斜角は０．０°、第２対物レンズ３８の光軸の第２鏡筒６２の光軸に対する径方向（回転中心方向）の傾斜角も０．０°である。またこの場合、第１対物レンズ１８のコマ収差を適切に補正すべくアクチュエータユニット７０を傾斜させた後における、図１０Ｂにおける第１対物レンズ１８の情報記録媒体５の記録面に垂直な方向に対する傾斜角は０．４°（＝第１傾斜角）であり、第２対物レンズ３８の情報記録媒体の記録面に垂直な方向に対する傾斜角も０．４°（≠第２傾斜角）である。
【００８８】
尚、第１対物レンズ１８の第１傾斜角を複数の第１対物レンズ１８のコマ収差の平均値（例えば、第１対物レンズ１８の製造ロットにおけるコマ収差の平均値）から求めた角度としてもよい。そのような平均値を採用することで、光ピックアップ装置１の量産に際し製造ロットにおける複数の第１対物レンズ１８について一律に第１傾斜角を設定することができる。このため、個々の第１対物レンズ１８について夫々のコマ収差に対応する第１傾斜角を求める手間、求めた第１傾斜角になるように個々の第１対物レンズ１８の光軸調整（アクチュエータユニット７０をハウジング５０に固定する際の光軸調整）を行う手間などを省略することができる。このため、光ピックアップ装置１の製造効率をより一層向上させることができる。
【００８９】
＜第４実施形態＞
図１１Ａは、第４実施形態として説明する光ピックアップ装置１における、第１対物レンズ１８及び第２対物レンズ３８をレンズホルダ６０に搭載した状態を模式的に示した側面図である。また図１１Ｂは、第４実施形態として説明する光ピックアップ装置１における、第１対物レンズ１８及び第２対物レンズ３８が搭載されたレンズホルダ６０をアクチュエータユニット７０に搭載し、さらにそのアクチュエータユニット７０をハウジング５０に搭載した状態を模式的に示した側面図である。第４実施形態は、第２実施形態を基本として第３実施形態を適用したものである。尚、図１１Ａ，図１１Ｂにおいて、第１対物レンズ１８や第２対物レンズ３８の傾斜角、及びアクチュエータユニット７０の傾斜角は実際の角度よりも強調して描いている。
【００９０】
第４実施形態では、第２実施形態と同様に、第１対物レンズ１８及び第２対物レンズ３８が、いずれも夫々のコマ収差の波面の位相が最も進んでいる方向を情報記録媒体５の回転中心方向とは反対方向に向けてレンズホルダ６０に固定されている。そして第４実施形態では、第３実施形態と同様に、第２対物レンズ３８の情報記憶媒体５の記録面に向かう光軸の方向を、第１対物レンズ１８と同様に第２鏡筒６１の光軸に一致させてレンズホルダ６０に固定している。
【００９１】
このように、第２実施形態と同様に第１対物レンズ１８及び第２対物レンズ３８は、いずれも夫々のコマ収差の波面の位相が最も進んでいる方向を情報記録媒体５の回転中心方向とは反対方向に向けてレンズホルダ６０に固定した場合も、第３実施形態と同様の構成を適用することができる。そしてこの第４実施形態の構成によっても、第３実施形態と同様の効果を得ることができる。
【００９２】
以上、実施の形態について説明したが、以上の説明は本発明の理解を容易にするためのものであり、本発明を限定するものではない。本発明は、その趣旨を逸脱することなく、変更、改良され得ると共に、本発明にはその等価物が含まれることは勿論である。
【符号の説明】
【００９３】
１  光ピックアップ装置
５  情報記録媒体
１１  第１レーザー光放射器
１２  第１回折格子
１３  第１ビームスプリッタ
１４  第１反射ミラー
１５  第１コリメートレンズ
１６  第１立ち上げミラー
１７  第１の１／４波長板
１８  第１対物レンズ
１９  第１センサーレンズ
２０  第１光検出器
３１  第２レーザー光放射器
３２  第２回折格子
３３  第２の１／４波長板
３４  第２ビームスプリッタ
３５  第３の１／４波長板
３６  第２コリメートレンズ
３７  第２立ち上げミラー
３８  第２対物レンズ
３９  第２センサーレンズ
４０  第２光検出器
５０  ハウジング
６０  レンズホルダ
６０１  コイル
６０２  磁石
６１  第１鏡筒
６２  第２鏡筒
７０  アクチュエータユニット
【図１】
2011044192.tif 000003
【図２】
2011044192.tif 000004
【図３】
2011044192.tif 000005
【図４】
2011044192.tif 000006
【図５】
2011044192.tif 000007
【図６】
2011044192.tif 000008
【図７Ａ】
2011044192.tif 000009
【図７Ｂ】
2011044192.tif 000010
【図８】
2011044192.tif 000011
【図９Ａ】
2011044192.tif 000012
【図９Ｂ】
2011044192.tif 000013
【図１０Ａ】
2011044192.tif 000014
【図１０Ｂ】
2011044192.tif 000015
【図１１Ａ】
2011044192.tif 000016
【図１１Ｂ】
2011044192.tif 000017
【図１２】
2011044192.tif 000018